(57)【要約】      （修正有）【課題】タッチパネルの感度を低下させることなく強度を高める表示装置付き透明基板を提供する。【解決手段】第１透明基板１１と、第１透明基板１１に透明樹脂４０からなる層を介して接合されたタッチパネル２０と、タッチパネル２０の第１透明基板１１とは反対側の面に透明樹脂４１からなる層を介して接合された第２透明基板１２と、表示装置３０と、を有し、第２透明基板１２のタッチパネル２０とは反対側の面が、表示装置３０の表示部３０ａと対面している。【選択図】図１
2017021444.tif 000002
【特許請求の範囲】
【請求項１】
第１透明基板と、
前記第１透明基板に透明樹脂からなる層を介して接合されたタッチパネルと、
前記タッチパネルの前記第１透明基板とは反対側の面に透明樹脂からなる層を介して接合された第２透明基板と、
表示装置と、を有し、
前記第２透明基板の前記タッチパネルとは反対側の面が、前記表示装置の表示部と対面している
ことを特徴とする表示装置付き透明基板。
【請求項２】
前記第１透明基板の厚さは、前記第２透明基板の厚さよりも薄い
ことを特徴とする請求項１に記載の表示装置付き透明基板。
【請求項３】
前記第１透明基板及び前記第２透明基板の面積は、何れも前記表示部の面積の１．２倍以上である
ことを特徴とする請求項１又は２に記載の表示装置付き透明基板。
【請求項４】
厚さが２ｍｍ以上１０ｍｍ以下の透明基板と、
前記透明基板に接合されたタッチパネルと、
前記タッチパネルの前記透明基板とは反対側に表示部が接合された表示装置と、を有し、
前記タッチパネルと前記表示部とは、比誘電率が４以上６以下の透明樹脂からなる層を介して接合されている
ことを特徴とする表示装置付き透明基板。
【請求項５】
厚さが２ｍｍ以上１０ｍｍ以下の透明基板と、
タッチパネル機能を有する表示部が前記透明基板に接合された表示装置と、を有し、
前記透明基板と前記表示部とは、比誘電率が４以上６以下の透明樹脂からなる層を介して接合されている
ことを特徴とする表示装置付き透明基板。
【請求項６】
前記透明基板の面積は、前記表示部の面積の１．２倍以上である
ことを特徴とする請求項４又は５に記載の表示装置付き透明基板。
【請求項７】
前記透明樹脂は、２５℃における弾性率が１．０×１０３Ｐａ以上１．０×１０５Ｐａ以下である
ことを特徴とする請求項１から６の何れか一項に記載の表示装置付き透明基板。
【請求項８】
前記透明樹脂は、厚さが０．０３ｍｍ以上５ｍｍ以下である
ことを特徴とする請求項１から７の何れか一項に記載の表示装置付き透明基板。
【請求項９】
請求項１から８の何れか一項に記載の表示装置付き透明基板を備える
ことを特徴とするテーブル。
【発明の詳細な説明】
【技術分野】
【０００１】
本発明は、表示装置付き透明基板及びテーブルに関する。
【背景技術】
【０００２】
例えば窓ガラス等の透明基板に、接着剤等によって表示装置が貼合された構成が開示されている（例えば、特許文献１参照）。
【先行技術文献】
【特許文献】
【０００３】
【特許文献１】特開２００６−１３２２０６号公報
【発明の概要】
【発明が解決しようとする課題】
【０００４】
上記した特許文献１に係る構成において、例えば表示装置が貼合された透明基板をテーブルの天板として用いる場合には、表示装置の重量で透明基板が撓む可能性がある。そこで、例えば表示装置の重量で撓まないように透明基板を厚くすると、透明基板と表示装置との間にタッチパネルを設けた場合に、タッチパネルの感度が低下する可能性がある。
【０００５】
本発明は上記に鑑みてなされたものであって、表示装置付き透明基板においてタッチパネルの感度を低下させることなく、表示装置付き透明基板の強度を高めることを目的とする。
【課題を解決するための手段】
【０００６】
本発明の一態様の表示装置付き透明基板によれば、第１透明基板と、前記第１透明基板に透明樹脂からなる層を介して接合されたタッチパネルと、前記タッチパネルの前記第１透明基板とは反対側の面に透明樹脂からなる層を介して接合された第２透明基板と、表示装置と、を有し、前記第２透明基板の前記タッチパネルとは反対側の面が、前記表示装置の表示部と対面している。
【０００７】
本発明の別の態様の表示装置付き透明基板によれば、厚さが２ｍｍ以上１０ｍｍ以下の透明基板と、前記透明基板に接合されたタッチパネルと、前記タッチパネルの前記透明基板とは反対側に表示部が接合された表示装置と、を有し、前記タッチパネルと前記表示部とは、比誘電率が４以上６以下の透明樹脂からなる層を介して接合されている。
【発明の効果】
【０００８】
本発明の実施形態によれば、表示装置付き透明基板においてタッチパネルの感度を低下させることなく、表示装置付き透明基板の強度を高めることができる。
【図面の簡単な説明】
【０００９】
【図１】第１の実施形態における表示装置付き透明基板の構成を例示する図である。
【図２】第１の実施形態における表示装置付き透明基板の他の構成を例示する図である。
【図３】第２の実施形態における表示装置付き透明基板を例示する断面概略図である。
【図４】第３の実施形態における表示装置付き透明基板を例示する断面概略図である。
【図５】第４の実施形態におけるテーブルを例示する斜視図である。
【発明を実施するための形態】
【００１０】
以下、図面を参照して発明を実施するための形態について説明する。各図面において、同一構成部分には同一符号を付し、重複した説明を省略する場合がある。
【００１１】
[第１の実施形態]
＜表示装置付き透明基板＞
図１は、第１の実施形態における表示装置付き透明基板１００の構成を例示する図である。図１（Ａ）は、表示装置付き透明基板１００の上面図である。図１（Ｂ）は、図１（Ａ）のＡ−Ａ断面概略図である。
【００１２】
図１に示されるように、表示装置付き透明基板１００は、第１透明基板１１、第２透明基板１２、タッチパネル２０、表示装置３０を有する。なお、以下において、表示装置付き透明基板１００の第１透明基板１１側を上、表示装置３０側を下として説明する場合がある。
【００１３】
（第１透明基板）
第１透明基板１１は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。また、第１透明基板１１は、複数のガラス板が貼り合わされた合わせガラスであってもよい。
【００１４】
第１透明基板１１が無機ガラスである場合には、例えば化学強化処理又は物理強化処理等の強化処理が施されていてもよい。また、無機ガラスの表面にフッ酸等のエッチング処理を施して反射防止能を付与してもよい。
【００１５】
また、第１透明基板１１には、機能膜が設けられてもよい。機能膜としては、例えばシリケートや金属酸化物の薄膜や類似の薄膜が形成されたフィルム等からなる反射防止膜が挙げられる。反射防止膜は、スパッタリング法、蒸着法、湿式コーティング法等によって第１透明基板１１の表面に直接形成されてもよく、上記したフィルムが貼り付けられることで第１透明基板１１の表面に形成されてもよい。反射防止膜によって反射が抑制され、表示装置付き透明基板１００の上面側から表示装置３０に表示される画像をより鮮明に見ることが可能になる。
【００１６】
また、機能膜としては、フッ素樹脂やシリコーン樹脂等の樹脂薄膜が蒸着や粘着層等を介して第１透明基板１１の表面に形成された、防汚、撥水、撥油等の機能を有する膜であってもよい。特に最外層にフッ素樹脂を有する機能膜は、第１透明基板１１に防汚性能や易清浄性を付与できるため好ましい。
【００１７】
また、第１透明基板１１には、例えば表示装置３０の表示部３０ａに対向する部分を除く領域に着色層が設けられてもよい。着色層は、例えばスクリーン印刷等によって、第１透明基板１１の上面及び下面の少なくとも一方の所定の領域に形成される。なお、着色層は、例えばインクジェット印刷等の異なる方法により形成されてもよく、フィルム等が貼合されることで形成されてもよい。
【００１８】
第１透明基板１１に着色層を設けることで、例えばタッチパネル２０や表示装置３０の配線部分等を第１透明基板１１の上側から見えなくなるように隠蔽できる。また、着色層の色や形状等により、表示装置付き透明基板１００の意匠性を向上させることが可能になる。
【００１９】
なお、本実施形態における第１透明基板１１は矩形であるが、矩形以外の任意の形状であってもよい。また、第１透明基板１１の厚さＴ１は、タッチパネル２０の表面を保護可能な厚さ以上であって、第１透明基板１１を介してタッチパネル２０を機能させることが可能な厚さ未満に形成されている。具体的には、第１透明基板１１の厚さＴ１は、例えば０．５ｍｍ以上５ｍｍ以下であることが好ましい。
【００２０】
第１透明基板１１は、主表面（図１（Ｂ）における上下面）の面積が、表示装置３０の表示部３０ａの面積の１．２倍以上であることが好ましい。第１透明基板１１をこのような大きさにすることで、表示装置付き透明基板１００を、例えばテーブルや窓等、様々な形で用いることが可能になる。
【００２１】
（タッチパネル）
タッチパネル２０は、上面視で表示装置３０とほぼ同じ矩形状を有する。タッチパネル２０は、上面が透明樹脂４０によって第１透明基板１１の下面に接合され、下面が透明樹脂４１によって第２透明基板１２の上面に接合されている。
【００２２】
タッチパネル２０は、例えば静電容量方式で、操作者が指やタッチペン等で第１透明基板１１の上面に触れた位置を検出する。なお、タッチパネル２０は、操作者の接触位置を検出可能であれば、抵抗膜方式や電磁誘導方式等の他の方式であってもよい。
【００２３】
（第２透明基板）
第２透明基板１２は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。また、第２透明基板１２は、複数のガラス板が貼り合わされた合わせガラスであってもよい。
【００２４】
第２透明基板１２は、第１透明基板１１と同様に、無機ガラスである場合には、例えば化学強化処理又は物理強化処理等の表面強化処理が施されていてもよい。また、第２透明基板１２には、第１透明基板１１と同様に、機能膜が設けられてもよい。
【００２５】
第２透明基板１２の厚さＴ２は、タッチパネル２０及び表示装置３０を保持して撓むことがない厚さ以上であって、第１透明基板１１の上面側から表示装置３０の表示部３０ａに表示される画像が見難くなる厚さ未満に形成されている。
【００２６】
また、第２透明基板１２の厚さＴ２は、タッチパネル２０と表示装置３０とを離間させ、例えば表示装置３０や表示装置３０の駆動装置に起因してタッチパネル２０に生じるノイズを低減できる厚さ以上に形成されていることが好ましい。
【００２７】
具体的には、第２透明基板１２の厚さＴ２は、第１透明基板１１の厚さＴ１以上であって、３ｍｍ以上１０ｍｍ以下であることが好ましく、４ｍｍ以上８ｍｍ以下であることがより好ましい。
【００２８】
また、第２透明基板１２は、主表面（図１（Ｂ）における上下面）の面積が、表示装置３０の表示部３０ａの面積の１．２倍以上であって、第１透明基板１１の主表面の面積以下であることが好ましい。
【００２９】
（表示装置）
表示装置３０は、図１（Ｂ）に示されるように、透明樹脂４２からなる層を介して、第２透明基板１２の下面に接合されている。表示装置３０は、例えば液晶ディスプレイ装置、有機ＥＬディスプレイ装置、プラズマディスプレイ装置等である。表示装置３０は、例えば不図示の記憶装置に記憶されている画像や、ネットワーク等を介して接続されているコンピュータ等から送信される画像を表示部３０ａに表示する。
【００３０】
本実施形態に係る表示装置３０の表示部３０ａは矩形であり、対角で２１．５インチ以上の大きさを有する。なお、表示装置３０の表示部３０ａは、矩形とは異なる任意の形状であってもよい。
【００３１】
（透明樹脂）
透明樹脂４０，４１，４２は、例えば液状又はフィルム状の硬化性樹脂組成物の硬化物等である。例えば第１透明基板１１の下面に未硬化の液状の硬化性樹脂組成物を塗布してタッチパネル２０を配置した後、液状の硬化性樹脂組成物を硬化させることで、タッチパネル２０を第１透明基板１１の下面に透明樹脂４０を介して接合できる。タッチパネル２０と第２透明基板１２とを透明樹脂４１を介して接合する場合、第２透明基板１２と表示装置３０とを透明樹脂４２を介して接合する場合も同様である。
【００３２】
第１透明基板１１、タッチパネル２０、第２透明基板１２及び表示装置３０の互いの間隙に透明樹脂４０，４１，４２が充填されていることで、第１透明基板１１、第２透明基板１２及びタッチパネル２０を透過する光の屈折差を小さくし、表示装置３０の表示部３０ａにおける光拡散が抑制される。したがって、外部から表示装置３０の表示部３０ａに表示されている画像を鮮明に見ることが可能になっている。
【００３３】
透明樹脂４０，４１，４２の比誘電率は、全て同じでもよく、それぞれ異なっていてもよい。タッチパネル２０の感度を上げつつ、表示装置３０や表示装置３０の駆動装置に起因してタッチパネル２０に生じるノイズを低減するため、透明樹脂４０の比誘電率は、透明樹脂４１，４２の比誘電率よりも大きいことが好ましい。
【００３４】
また、透明樹脂４０は、タッチパネル２０の感度を上げるため、比誘電率が４以上６以下であることが好ましい。さらに、透明樹脂４１，４２は、表示装置３０や表示装置３０の駆動装置に起因してタッチパネル２０に生じるノイズを低減するため、比誘電率が１以上４以下であることが好ましい。なお、比誘電率は、ＪＩＳ  Ｃ  ２１３８付属書ＪＡ．２．１に準拠し、自動平衡ブリッジ法で測定した値である。
【００３５】
また、透明樹脂４０，４１，４２は、それぞれ２５℃における弾性率が、１０３Ｐａ以上１０５Ｐａ以下であることが好ましい。透明樹脂４０，４１，４２がこのような弾性率を有することで、第１透明基板１１とタッチパネル２０との接合や、第２透明基板１２と表示装置３０との接合において生じる空隙を比較的容易に消失させることが可能になる。
【００３６】
また、透明樹脂４０，４１，４２の２５℃における弾性率が１０３Ｐａ以上の場合には、塗布された透明樹脂の形状が維持され易くなる。したがって、透明樹脂が比較的厚く塗布された場合であっても、透明樹脂全体で厚さが均一に維持され、第２透明基板１２と表示装置３０との界面等に空隙が発生し難くなる。また、透明樹脂４０，４１，４２は、２５℃における弾性率が１０５Ｐａ以下であれば、第１透明基板１１とタッチパネル２０との間や、第２透明基板１２と表示装置３０との間等の密着性が向上する。
【００３７】
透明樹脂４０，４１，４２の厚さとしては、それぞれ０．０３ｍｍ以上５ｍｍ以下が好ましく、０．１ｍｍ以上２ｍｍ以下がより好ましい。透明樹脂４０，４１，４２の厚さが０．０３ｍｍ以上であれば、例えば第１透明基板１１の上面から外力等が加わった際に、透明樹脂４０が外力による衝撃を十分に低減し、タッチパネル２０等を保護できる。また、第１透明基板１１とタッチパネル２０との間や、第２透明基板１２と表示装置３０との間等に、透明樹脂４０，４１，４２の厚さ未満の寸法の異物が混入しても、透明樹脂４０，４１，４２の厚さが変化しないため、異物混入による視認性への影響が抑制される。また、表示装置３０の表示部３０ａの視認性が低下するため、透明樹脂４０，４１，４２の厚さは５ｍｍ以下であることが好ましい。
【００３８】
以上で説明したように、第１の実施形態に係る表示装置付き透明基板１００によれば、第１透明基板１１及び第２透明基板１２を有することで強度が向上し、タッチパネル２０や表示装置３０等の重量による撓みが低減される。また、第２透明基板１２にタッチパネル２０及び表示装置３０を支持させることで、タッチパネル２０を覆う第１透明基板１１を薄くしてタッチパネル２０の感度を維持することが可能になる。さらに、タッチパネル２０と表示装置３０との間に第２透明基板１２が設けられているため、表示装置３０に起因するタッチパネル２０のノイズが低減し、タッチパネル２０の位置検出精度等が維持される。
【００３９】
なお、表示装置付き透明基板１００は、図２に示されるように、タッチパネル及び表示装置がそれぞれ複数設けられてもよい。図２（Ａ）は、タッチパネル及び表示装置がそれぞれ複数設けられた表示装置付き透明基板１００の上面図である。また、図２（Ｂ）及び図２（Ｃ）は、それぞれ図２（Ａ）のＢ−Ｂ断面図である。
【００４０】
図２に示される表示装置付き透明基板１００には、第２透明基板１２の下面に、表示部３１ａを有する第１表示装置３１及び表示部３２ａを有する第２表示装置３２が、透明樹脂４０によって接合されている。
【００４１】
第２透明基板１２は、図２（Ｂ）に示されるように１枚の単一基板であってもよく、図２（Ｃ）に示されるように表示装置ごとに１枚ずつ設けられてもよい。
【００４２】
図２（Ｂ）に示される構成では、１枚の第２透明基板１２の上面に、第１表示装置３１に対応する位置に第１タッチパネル２１、第２表示装置３２に対応する位置に第２タッチパネル２２がそれぞれ接合されている。第１タッチパネル２１及び第２タッチパネル２２の上面には、透明樹脂４０により第１透明基板１１が接合されている。
【００４３】
また、図２（Ｃ）に示される構成では、第１タッチパネル２１と第１表示装置３１との間、及び第２タッチパネル２２と第２表示装置３２との間に、それぞれ第２透明基板１２が設けられている。
【００４４】
このように、タッチパネル及び表示装置が複数設けられた構成であっても、タッチパネルと表示装置との間に第２透明基板を設けることで、表示装置付き透明基板においてタッチパネルの感度を低下させることなく強度を高めることができる。
【００４５】
さらに、表示装置付き透明基板１００は、例えば第２透明基板１２と表示装置３０との間に第３透明基板が設けられてもよく、３枚以上の透明基板で構成されてもよい。このような構成において、透明基板同士や、透明基板と表示装置３０の表示面とは、上記したように透明樹脂からなる層を介して接合されることが好ましい。
【００４６】
[第２の実施形態]
＜表示装置付き透明基板＞
第２の実施形態について図面に基づいて説明する。なお、既に説明した実施形態と同一構成部分については、同一の符号を付して説明は省略する場合がある。
【００４７】
図３は、第２の実施形態における表示装置付き透明基板２００を例示する断面概略図である。
【００４８】
図３に示されるように、表示装置付き透明基板２００は、透明基板１０、タッチパネル２０、表示装置３０を有する。なお、タッチパネル及び表示装置は、それぞれ複数設けられてもよい。
【００４９】
（透明基板）
透明基板１０は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。また、透明基板１０は、複数のガラス板が貼り合わされた合わせガラスであってもよい。
【００５０】
透明基板１０は、第１の実施形態における第１透明基板１１と同様に、無機ガラスである場合には、例えば化学強化処理又は物理強化処理等の表面強化処理が施されてもよい。また、透明基板１０には、機能膜や着色層等が設けられてもよい。
【００５１】
第２の実施形態における透明基板１０の板厚Ｔ３は、２ｍｍ以上１０ｍｍ以下であることが好ましい。透明基板１０の板厚Ｔ３を上記範囲内にすることで、表示装置３０の重量による透明基板１０の撓みを低減すると共に、タッチパネル２０を機能させることができる。
【００５２】
また、透明基板１０は、主表面（図３における上下面）の面積が表示装置３０の表示部３０ａの面積の１．２倍以上であることが好ましい。透明基板１０がこのような大きさを有することで、表示装置付き透明基板１００は、例えばテーブルや窓等、様々な形で用いられることが可能になる。
【００５３】
なお、本実施形態における透明基板１０は矩形であるが、透明基板１０は矩形以外の任意の形状であってもよい。
【００５４】
（透明樹脂）
透明基板１０と表示装置３０とは、透明基板１０と表示装置３０の少なくとも表示部３０ａを含む領域とが透明樹脂４３を介して接合されている。このような構成とすることで、透明基板１０及びタッチパネル２０を透過する光の屈折や、表示装置３０の表示部３０ａにおける反射光が抑制される。したがって、透明基板１０の上面側から表示装置３０の表示部３０ａに表示されている画像を鮮明に見ることが可能になる。なお、透明樹脂４３の材料、物性等は、第１の実施形態における透明樹脂４０，４１，４２と同様であることが好ましい。
【００５５】
以上で説明したように、第２の実施形態に係る表示装置付き透明基板２００によれば、表示装置３０の重量によって透明基板１０が撓むことがなく、透明基板１０を介してタッチパネル２０を機能させることができる。また、外部から表示装置３０の表示部３０ａに表示されている画像を鮮明に見ることが可能になっている。
【００５６】
[第３の実施形態]
＜表示装置付き透明基板＞
第３の実施形態について図面に基づいて説明する。なお、既に説明した実施形態と同一構成部分については、同一の符号を付して説明は省略する場合がある。
【００５７】
図４は、第３の実施形態に係る表示装置付き透明基板３００を例示する断面概略図である。
【００５８】
第３の実施形態に係る表示装置付き透明基板３００では、表示装置３０の画像を表示する表示部３０ａとタッチパネル機能を有するタッチパネル部３０ｂとが、例えばオンセル方式、インセル方式等により一体に設けられている。なお、表示装置は、複数設けられてもよい。
【００５９】
図４に示されるように、表示装置付き透明基板３００は、表示部３０ａとタッチパネル部３０ｂとを有する表示装置３０が、透明樹脂４３によって透明基板１０の下面に接合されている。
【００６０】
このような構成とすることで、透明基板１０の上面側から表示装置３０の表示部３０ａに表示されている画像を鮮明に見ることが可能になる。
【００６１】
以上で説明したように、第３の実施形態に係る表示装置付き透明基板３００では、透明基板１０と表示装置３０との間に透明樹脂４３が充填されることで、光の屈折や反射光が抑制される。したがって、表示装置付き透明基板３００は、表示装置３０を用いて画像を鮮明に表示することが可能になっている。
【００６２】
[第４の実施形態]
次に、第４の実施形態について図面に基づいて説明する。なお、既に説明した実施形態と同一構成部分については、同一の符号を付して説明は省略する場合がある。
【００６３】
＜テーブル＞
図５は、第４の実施形態におけるテーブル４００を例示する斜視図である。テーブル４００は、天板として第１の実施形態に係る表示装置付き透明基板１００を有する。
【００６４】
表示装置付き透明基板１００は、表示装置３０が下側に配置されるように第２透明基板１２が複数の脚５０によって支持されている。
【００６５】
なお、脚５０の形状、数及び位置等は、図４に例示される構成に限られない。また、テーブル４００には、表示装置３０の落下を防止するために、表示装置３０を支持する支持部材を設けてもよい。
【００６６】
また、テーブル４００は、第２の実施形態に係る表示装置付き透明基板２００や、第３の実施形態に係る表示装置付き透明基板３００を天板として備えてもよい。さらに、テーブル４００に天板として設けられる表示装置付き透明基板１００，２００，３００は、それぞれタッチパネル２０及び表示装置３０の少なくとも一方が複数設けられていてもよい。
【００６７】
以上で説明したように、第４の実施形態に係るテーブル４００によれば、表示装置付き透明基板が撓むことなく表示装置３０を保持し、天板の上面から表示装置３０のタッチパネル機能を用いることができる。また、テーブル４００では、表示装置３０が透明樹脂４０によって透明基板に接合されており、光の屈折や反射光が抑制され、使用者が上側から表示装置３０に表示される画像を鮮明に見ることが可能になっている。
【００６８】
以上、実施形態に係る表示装置付き透明基板及びテーブルについて説明したが、本発明は上記実施形態に限定されるものではなく、本発明の範囲内で種々の変形及び改良が可能である。
【符号の説明】
【００６９】
１０  透明基板
１１  第１透明基板
１２  第２透明基板
２０  タッチパネル
３０  表示装置
３０ａ  表示部
４０，４１，４２  透明樹脂
１００，２００，３００  表示装置付き透明基板
４００  テーブル
【図１】
2017021444.tif 000003
【図２】
2017021444.tif 000004
【図３】
2017021444.tif 000005
【図４】
2017021444.tif 000006
【図５】
2017021444.tif 000007